(57)【要約】【課題】掛け布団カバーを取り替える際、体力のない女性や高齢者でも掛け布団の出し入れ作業が容易にできる掛け布団カバーの提出。【解決手段】掛け布団カバーの２つのファスナーを開く事に依って１枚の布になり、掛け布団カバー表面が大きく開き、出し入れを容易にする構成と、スナップ２個で簡単に着脱出来る構成。【選択図】    図４
2004337560.tif 000002
【特許請求の範囲】
【請求項１】
１枚の布１に、掛け布団１０を乗せ、その上に３の布を乗せ、掛け布団１０を覆う構造で４Ａからファスナー４Ｂを閉め４Ｃで係止。４Ｃのファスナーの金具を顔に近付けない為２の布を襟カバーとして３の布の上に乗せる。４Ｃのファスナー開閉つまみを顔に近付けない為、布２を襟カバーとして布３の上を覆う。４Ｃのファスナー開閉つまみを保護する事を目的のデザインである。
【請求項２】
４Ａからファスナー４Ｂで閉じ４Ｃで係止する際、布３に５ｃｍ位縫いつける。その上から布２が襟カバーとなって布３の上に乗せる事に依り顔を傷つける事がない。
【請求項３】
６Ａ・６Ｂ・６Ｃのオープンファスナーを取りつける事により、取りはずしが可能になり布２のみ洗濯が出来、高齢者の負担がなお軽減される。
【請求項４】
掛け布団カバーと掛け布団を固定する為、２種類の着脱具７・８を使っている。７の着脱具は４つのスナップで出来ている。その他９のループをつける事により、布３と布１と掛け布団１０の３つを一緒に固定する事が出来る。
【発明の詳細な説明】
【０００１】
【発明に属する技術分野】本発明は、掛け布団の出し入れが容易にできる掛け布団カバーに属している。
【０００２】
【従来の技術】従来の掛け布団カバーの形状は、一方に布団出し入れファスナーで掛け布団の出し入れ作業を行なう。また、布団のずれる事態を防止する為、掛け布団カバーの内部、四隅には掛け布団を固定する紐が取り付けられている。
【０００３】
しかしながら、上記従来の掛け布団カバーの出し入れには非常に狭く掛け布団を出し入れする際に、大変な労力が必要とされ、体力のない高齢者などは、きつい作業になる。
【０００４】
【発明の解決しようとする課題】
掛け布団カバーを洗濯する際は、掛け布団の出し入れ作業に伴い大変な労力と手間が費やされる。
特に体力のない高齢者は、掛け布団の出し入れ作業が面倒で洗濯をおろそかにし不衛生である。掛け布団と掛け布団カバーを固定する紐の取り付け、取外し作業も掛け布団出し入れ口に両手を差し入れ、確認しながらの作業が必要とされ面倒である。こように従来の掛け布団カバーは難点が多く作業時の利便性に欠く製品となっている為、掛け布団の出し入れ作業が容易に出来る掛け布団カバーの提供が最重要課題である。
【０００５】
【課題を解決するための手段】
そこで本発明は、上記課題を解決する為に従来の掛け布団カバーと全く異なる構造の掛け布団カバーを形成した。
【０００６】
請求項１に記載の掛け布団カバーは、１枚の布を利用して掛け布団カバーを形成するものである。
布１が掛け布団カバーの中面となり掛け布団表面となる布３をファスナー４Ａで布１と布３の縁４Ｂをファスナー４Ｃで係止する。
布２は、布３の上に襟カバーとして５Ａから５Ｂのファスナーで閉じ５Ｃで係止する。掛け布団カバー内部１の四隅には、７の着脱具を装着しその中心に８の着脱具を装着し９のループを装着した。
布３の上部につく８の装着具にはループ９と掛け布団１０の二つを同時に止める事により掛け布団カバーと掛け布団のずれを防ぐ。
【０００７】
請求項２に記載の掛け布団カバーは布１と布３を４Ａから４Ｂに依り閉じたファスナーを４Ｃで係り止めした上に、２の布を覆う事により、４Ｃで係り止めした金具で顔を傷つける事態を防止する。又、布２の襟カバーの役目に成るので、レース、パイピング、スカラップ、ギャザー等の装飾を施すことが出来るようになる。
【０００８】
上記の掛け布団カバーは、１枚の布を利用して掛け布団を被包するものである。４Ａ・４Ｂ・４Ｃ    ５Ａ・５Ｂ・５Ｃのファスナーを開放する事でカバーの表が１枚の布になり、出し入れが容易に出来る状態になる。
【０００９】
６Ａ・６Ｂ・６Ｃ・をオープンファスナーで取外す事により襟が汚れた時に襟カバー２のみをこまめに洗濯することが出来、労力も使わず衛生的である。
【発明の実施の形態】
【００１０】
襟カバーの表面となる布にスカラップ、刺繍、レース、パイピング、キャラクターギャザー等を施す事で、多種デザイン性やファッション性が加味される。
【００１１】
実施例について図面を参照して説明する。図４は請求項１に記載の掛け布団カバーの各ファスナーを開放し掛け布団を置いた状態の図である。
２と１と３を開放した上に掛け布団１０を乗せた状態を示している。ファスナー４Ａ・４Ｂ・４Ｃと５Ａ・５Ｂ・５Ｃを開放する事で１枚の布になり、掛け布団の出し入れ口が全面開放される。
【００１２】
図５・図６は請求項２に記載の掛け布団カバーの正面図である。各ファスナー止りを装飾布２が覆い保護する事により顔を傷つける事がない。
【００１３】
図１は請求項３に記載の掛け布団カバーの正面図である。１枚の布を利用して掛け布団カバーを形成する為に、多くの着脱具を設けている。布１の表面四隅に着脱具７を４つ、その間に８の着脱具を２つ、布２の上部に８の着脱具、１の布に９のループをつけている。着脱具を、１０の掛け布団のループに入れ、４Ａ，４Ｂ、４Ｃ、５Ａ，５Ｂ，５Ｃのファスナーを閉じる事により容易にカバー出来る。
【００１４】
図１は請求項２に記載の、ファスナー４Ｃの係止の位置をかいたものである。４Ｂのファスナーを４Ｃで止める時、布３だけにファスナーを５、６ｃｍ縫い付けたものである。一方の布３だけに縫い付ける事により、布２に４Ｃファスナーを取り付ける事が無いので、縫製も簡単で出来上がった時にシャープである。５、６ｃｍ中に入る事に依り、布２を布３に被せたときに、布２の中に入り顔を傷つける事がない。
【００１５】
【発明の効果】
本発明の掛け布団カバーは、カバー縁に備えたファスナーを開放することでカバー表面が大きく開き、書け布団カバーの取り替え作業が容易にできる。
【００１６】
一枚の布で掛け布団カバーを形成し、掛け布団を被包する構造なので、掛け布団カバーの取替え作業が容易にできる。
【００１７】
襟カバーのみオープンファスナーで取外せるので一部分の洗濯ですみ経済的である。
【００１８】
着脱具もスナップを２つはめるだけなので、煩わしい紐を結ぶ手間がはぶけ、高齢者でも簡単に作業ができる。
【００１９】
体力のない高齢者でも労力を必要とせず掛け布団カバーの取り替え作業が容易に出来る状態になる。又、掛け布団カバーを洗濯する際は、一枚布に展開できる事で乾燥が早く、掛け布団内部にごみが蓄積する事態がない。
【００２０】
掛け布団カバーの取り替え作業で手間をとられ難儀する事態が一切なく、高齢化の進む社会ニーズに合った製品となる。又、ベット数の多い医療や介護福祉の現場に最適な製品であり、入院患者等の掛け布団カバーの取り替え作業効率が向上する。
【図面の簡単な説明】
【図１】請求項４に記載の掛け布団カバーの各ファスナーを開放した状態の図。
【図２】請求項２に記載の掛け布団カバーを閉じる時のファスナー止めを表わした図。
【図３】請求項３に記載の襟カバー２の取外しが出来る掛け布団カバーを記載した図。
【図４】請求項１に記載の掛け布団カバーに掛け布団を乗せ着脱具で一部を止めた状態の図。
【図５】請求項２に記載の掛け布団カバーを閉じた時のファスナー開閉つまみの位置を示した図。
【図６】請求項２に記載の掛け布団カバーを閉じた時のデザインを入れた状態の図。
【符号の説明】
１    布
２    布
３    布
４Ａ  ファスナー開閉つまみ
４Ｂ  ファスナー
４Ｃ  ファスナー
５Ａ  ファスナー開閉つまみ
５Ｂ  ファスナー
５Ｃ  ファスナー
６Ａ  ファスナー開閉つまみ
６Ｂ  ファスナー
６Ｃ  ファスナー
７    着脱具
８    着脱具
９    テープ（布）
１０  掛け布団
１１  綿レース
【図１】
2004337560.tif 000003
【図２】
2004337560.tif 000004
【図３】
2004337560.tif 000005
【図４】
2004337560.tif 000006
【図５】
2004337560.tif 000007
【図６】
2004337560.tif 000008